(57)【特許請求の範囲】
【請求項１】
バッテリと、
商用電源からの電力により前記バッテリを充電する充電回路と、
前記商用電源からの電力または前記バッテリからの電力を切り替えてランプを点灯させる切り替え回路と、
外部から送信される点検信号を受信した場合、前記切り替え回路を動作させて、前記バッテリからの電力により前記ランプを点灯させ、前記点検信号の受信が途絶えてから所定時間経過するまで前記点灯を継続し、前記所定時間が経過する前に、前記点検信号を受信する場合は、前記バッテリからの電力により前記ランプを点灯させる状態を継続し、前記所定時間が経過したときに、前記点検信号を受信しない場合は、前記切り替え回路を動作させて、前記商用電源からの電力により前記ランプを点灯させる制御手段と、
を備えることを特徴とする照明機器。
【発明の詳細な説明】
【技術分野】
【０００１】
本発明は、照明機器の動作を点検する技術に関するものである。
【背景技術】
【０００２】
誘導灯など非常用照明装置は火災等による停電時に照明を確保する目的でランプを点灯（非常点灯）させるものであり、常備されているバッテリ電源の電力で点灯する。このためバッテリの点検が消防庁告示及び建築基準法で義務づけられている。バッテリ点検は規定では、誘導灯の場合２０分間または６０分間、非常灯の場合は３０分間、ランプを有効に非常点灯させなければならないことになっている。このように長い時間点灯しなければならないので、点検者は点検スイッチを操作して、規定の点検時間ランプが有効に非常点灯するか否かを判断することが求められている。また、施工時などは配線チェックなどの動作確認のため短時間の非常点灯が要求されている（例えば、特許文献１、特許文献２参照。）。
【特許文献１】特開平８−１８５９８７号公報
【特許文献２】特開２００７−５９３５２号公報
【発明の開示】
【発明が解決しようとする課題】
【０００３】
しかしながら、従来のバッテリ点検方式では、バッテリ点検は長い時間がかかっていた。
【０００４】
また、誘導灯などが高所に取り付けられている場合など、高所に登って作業する必要があった。
【０００５】
本発明は、例えば、常用点灯状態、非常点灯状態の切り替え動作確認を短時間に行うことができ、メンテナンス性を向上させることを目的とする。
【課題を解決するための手段】
【０００６】
本発明に係る照明機器は、バッテリと、商用電源からの電力により前記バッテリを充電する充電回路と、前記商用電源からの電力または前記バッテリからの電力を切り替えてランプを点灯させる切り替え回路と、外部から送信される点検信号を受信した場合、前記切り替え回路を動作させて、前記バッテリからの電力により前記ランプを点灯させ、前記点検信号の受信が途絶えてから所定時間経過するまで前記点灯を継続し、前記所定時間が経過する前に、前記点検信号を受信する場合は、前記バッテリからの電力により前記ランプを点灯させる状態を継続し、前記所定時間が経過したときに、前記点検信号を受信しない場合は、前記切り替え回路を動作させて、前記商用電源からの電力により前記ランプを点灯させる制御手段と、を備えることを特徴とする。
【発明の効果】
【０００７】
常用点灯状態、非常点灯状態の切り替え動作確認を短時間に行うことができ、メンテナンス性を向上させることができるとともに、点検信号を受信してから所定時間、非常点灯状態を継続しているので、リモコン送信器の方向にブレなどが生じて点検信号が間欠的に受信される場合であっても、非常点灯状態を継続することができる。
【発明を実施するための最良の形態】
【０００８】
実施の形態１．
図１は、本実施の形態の誘導灯を示す図であり、図１（ａ）は、本実施の形態の誘導灯を示す斜視図、図１（ｂ）は、図１（ａ）に示す誘導灯の底面図である。
【０００９】
誘導灯１は、点灯ユニット２、バッテリ３が内蔵される誘導灯本体４と、誘導灯本体４に取り付けられる表示パネル５を有する。
【００１０】
また、表示パネル５の内側にはＬＥＤからなるランプ６が取り付けられ、内側から外方へ向かって表示パネル５のパネル面を発光させる。
【００１１】
誘導灯本体４の上面には、天井などの被取付部にネジなどの取付部材を用いて取り付けられる取付孔７と、外部から電源線が挿入される電源線挿入孔８とを備えている。
【００１２】
誘導灯本体４の底面には、赤外線リモコンの赤外線信号（外部からの信号）を受信するリモコン信号受信部９と、ユーザーの操作によって点検を開始させる点検スイッチ１０と、バッテリ３の状態を表示するバッテリモニタ１１を備えている。
【００１３】
図２は、本実施の形態を示すリモコン送信器の斜視図である。
【００１４】
リモコン送信器１２は、リモコン本体１３と、ユーザーがバッテリ３の点検を行う際に操作する操作ボタン１４と、操作ボタン１４を操作したときに赤外線信号（以下、点検信号１５という。）を出力する赤外線発光素子１６を備えている。
【００１５】
図３は、図１の誘導灯本体に格納されている点灯ユニットの回路構成とバッテリとランプの配線を示す回路図である。
【００１６】
点灯ユニット２は、交流電圧からなる商用電源２１が入力され、入力される交流電圧を整流平滑する整流平滑回路２２と、整流平滑回路２２に接続される第１のＤＣ−ＤＣコンバータ２３（以下、単にＤＣ−ＤＣコンバータ２３という場合がある。）と、ＤＣ−ＤＣコンバータ２３の出力側とランプ６の間に接続される常用／非常点灯切り替え回路２４と、ＤＣ−ＤＣコンバータ２３の出力側に接続され、バッテリ３を充電する充電回路２５と、ＤＣ−ＤＣコンバータ２３とバッテリ３に接続され、制御回路２７の電源入力部２８に電力を供給するＯＲ回路２６と、バッテリ３の電力により動作して、切り替え回路２４を介してランプ６に電力を供給する第２のＤＣ−ＤＣコンバータ２９（以下、単にＤＣ−ＤＣコンバータ２９という場合がある。）と、バッテリ３の点検を行う点検スイッチ１０と、バッテリ３の充電状態を表示するバッテリモニタ１１と、商用電源２１が入力されていることを検出する停電検出回路３２と、点検信号１５を受信するリモコン受信器３４を備えている。
【００１７】
ＤＣ−ＤＣコンバータ２３は、整流平滑回路２２で平滑した電圧と異なる電圧に変換して、変換した電圧は、充電回路２５に入力されバッテリ３を充電するとともに、制御回路２７の駆動電源としてＯＲ回路２６を介して電源入力部２８に入力される。
【００１８】
また、ＤＣ−ＤＣコンバータ２３により変換した電圧は、常用／非常点灯切り替え回路２４を介してランプ６に供給され、ランプ６を点灯する。
【００１９】
バッテリ３は、商用電源２１の供給が停止（停電など）したとき、バッテリ３に充電された電力をＯＲ回路２６を介して制御回路２７の電源として供給するとともに、ＤＣ−ＤＣコンバータ２９に電力を供給する。
【００２０】
ＤＣ−ＤＣコンバータ２９は、バッテリ３の出力電圧よりも高い電圧に昇圧して、ランプ３に電力を供給し、ランプ３を点灯する。
【００２１】
バッテリモニタ１１は、バッテリ充電検出信号が入力され、制御回路２７が正常にバッテリ３が充電していることを検知しているときに点灯して、ユーザーにバッテリ３が正常に充電されていることを報知する。
【００２２】
制御回路２７は、充電回路２５が出力している充電電流を検出する充電電流検出部３０と、バッテリ３のバッテリ電圧を検出するバッテリ電圧検出部３１と、整流平滑回路２２に商用電源２１が供給されているか、否かを停電検出回路３２を介して検出する停電検出部３３と、リモコン送信器１２から送信される無線の点検信号１５をリモコン受信器３４（リモコン信号受信部９、リモコン受信回路３５を含む）を介して受信するリモコン信号受信部３６と、点検スイッチ１０からの信号を入力する点検スイッチ信号入力部３７と、バッテリ３が正常に充電されているか否かをＬＥＤからなるバッテリモニタ１１にバッテリ充電検出信号を出力して、バッテリモニタ１１を点灯／消灯させるバッテリモニタ信号出力部３８と、ＤＣ−ＤＣコンバータ２３の動作を制御（オン／オフ信号を出力）する第１のコンバータ制御信号出力部３９（以下、単にコンバータ制御信号出力部３９という場合がある。）と、ＤＣ−ＤＣコンバータ２９の動作を制御（オン／オフ信号を出力）する第２のコンバータ制御信号出力部４０（以下、単にコンバータ制御信号出力部４０という場合がある。）と、常用／非常点灯切り替え回路２４を切り替える切替信号を出力する常用／非常点灯切り替え信号出力部４１とを備えている。
【００２３】
常用／非常点灯切り替え回路２４は、機械接点式リレーで構成され、商用電源２１が供給されている（通常にランプ６を点灯させる）とき、常用／非常点灯切り替え信号出力部４１から出力される切替信号によって、機械接点式リレーの接点がＤＣ−ＤＣコンバータ２３とランプ６が接続するように構成されている。
【００２４】
次に、リモコン送信器１２の操作による点検動作の概略について説明する。
【００２５】
ユーザーがリモコン送信器１２の操作ボタン１４を押下するとリモコン送信器１２（赤外線発光素子１６）から点検信号１５が送信される。
【００２６】
リモコン送信器１２から出力される点検信号１５をリモコン受信器３４が受信すると、制御回路２７は、ＤＣ−ＤＣコンバータ２３の動作を停止させるオン／オフ信号を出力して、ＤＣ−ＤＣコンバータ２３の動作を停止させるとともに、常用／非常点灯切り替え回路２４を非常点灯に切り替える、つまり常用／非常点灯切り替え回路２４の接点をＤＣ−ＤＣコンバータ２９側に接続を切り替えて、点灯ユニット２内（ＤＣ−ＤＣコンバータ２３の出力側に接続されている各回路構成部）を擬似的に停電状態にする。
【００２７】
このとき、ＤＣ−ＤＣコンバータ２３の動作が停止して、点灯ユニット２内が擬似的に停電状態となるので、バッテリ３の充電は中止され、充電されたバッテリ３の電力が制御回路２７、ＤＣ−ＤＣコンバータ２９に供給されて、ランプ６が点灯する。
【００２８】
次に、制御回路２７の動作について説明する。
【００２９】
図４は、制御回路がバッテリを点検する動作を示すフローチャート示す図である。
【００３０】
制御回路２７は、商用電源２１が供給されているかを判別（ステップ１）する。（以下、商用電源１０が供給されていない状態を停電という。）
【００３１】
ステップ１で、商用電源２１が供給されておらず停電であると判別するときは、バッテリモニタ１１を消灯（ステップ２）し、バッテリ３からの電力によりランプ６を点灯（以下、非常点灯という。）する（ステップ３）。
【００３２】
次に、ステップ１で、商用電源２１が供給され停電ではないと判別したときは、点検スイッチ１０が押下されているかを判別（ステップ４）する。
【００３３】
ステップ４で、点検スイッチ１０が押下されていないと判別するときは、リモコン受信器３３に点検信号１５を受信しているかを判別（ステップ５）する。
【００３４】
ステップ５で、点検信号１５を受信していないと判別するときは、ＤＣ−ＤＣコンバータ２３を動作させる動作信号を出力（ステップ６）し、充電電流検出部３０で検出される充電電流から、バッテリ３が正常に充電されているかを判別（ステップ７）する。
【００３５】
ステップ７で正常に充電していると判別するときは、バッテリモニタ１１を点灯（ステップ８）し、常用／非常点灯切替信号を出力（ステップ９）して常用／非常点灯切替回路２４を切り替え、商用電源２１の電力によりランプ６を点灯（以下、常用点灯という。）する。
【００３６】
ステップ７で正常に充電していないと判別するときは、バッテリモニタ１１を消灯（ステップ１０）し、常用／非常点灯切替信号を出力（ステップ９）して常用／非常点灯切替回路２４を切り替え、ランプ６を常用点灯させる。
【００３７】
次にステップ４で点検スイッチ１０が押下されていると判別するとき、又は、ステップ５で、点検信号１５を受信していると判別するときは、コンバータ制御信号出力部３９からＤＣ−ＤＣコンバータ２３の出力を停止するオン／オフ信号を出力（ステップ１１）し、ステップ２に移行して、バッテリモニタ１１を消灯し、常用／非常点灯切り替え信号の出力を停止（ステップ３）して常用／非常点灯切り替え回路２４を切り替え、ランプ６を非常点灯させる。
【００３８】
次にステップ９（常用点灯している状態）、またはステップ３（非常点灯している状態）からステップ１に戻る動作を継続し、ランプ６の点灯状態を常用点灯または非常点灯にする。
【００３９】
したがって、操作ボタン１４を押している間、リモコン受信部３４は点検信号１５を受信し続けるので、ステップ１→ステップ４→ステップ１１→ステップ２→ステップ３→ステップ１の流れで制御回路２７が動作し続けて非常点灯状態が継続され、常用点灯から非常点灯に切り替わるかを点検することができる。
【００４０】
なお、常用点灯から非常点灯への切り替えの判別は、一般的に常用点灯時のランプ３の明るさに比べて非常点灯時のランプ６の明るさが暗くなるため、表示パネル５の明るさの差によって目視で確認するが、表示パネル５の明るさの差に限らず、ＬＥＤなどの常用／非常点灯識別表示部を備えて、この常用／非常点灯識別表示部のＬＥＤなどを点灯／消灯させて常用点灯状態であるか、非常点灯状態であるかを表示してもよい。
【００４１】
このように、手元にあるリモコン送信器１２の操作で点検が行えるので、脚立などに登ることなく高所に取り付けられる誘導灯１の常用／非常点灯の切り替え点検を行うことができる。
【００４２】
また、リモコン送信器１２の操作ボタン１４を押している間、非常点灯に切り替えることができるので、ユーザーが目視で確認する時間を自由に設定でき、常用点灯から非常点灯に切り替るかを確認する作業が容易となる。
【００４３】
また、点検スイッチ１０の操作及びリモコン送信器１２の操作によって常用／非常点灯切り替えができるようにしているので、誘導灯１の設置場所に応じてユーザーがいずれかの操作により常用／非常点灯切り替え点検が行え、利便性が向上する。
【００４４】
なお、本実施の形態では、常用／非常点灯切り替え回路２４に機械接点式リレーを用いる場合を説明したが、２つのダイオードのカソード同士を接続するＯＲ回路などを用いてもよく、また、商用電源２１が遮断されたとき、及び、バッテリ３の点検動作をしているときに、サイリスタやトランジスタなどの半導体スイッチによって、バッテリ３からの電力のみでランプ６を点灯するように構成してもよい。
【００４５】
また、表示パネル５の内側に取り付けられるランプ６はＬＥＤに限定されず、蛍光灯などを用いてもよく、この場合、用いられる光源の種類に合わせた点灯回路を点灯ユニット２に備えてもよい。
【００４６】
実施の形態２．
本実施の形態は、実施の形態１に示す制御回路の他の動作を示すものである。
【００４７】
本実施の形態において、実施の形態１と同様の部分は同符号を付し、説明を省略する。
【００４８】
図５は、本実施の形態を示す制御回路の動作を示すフローチャートである。
【００４９】
ステップ１で、停電であるかを判別して、停電であると判別するとき、ステップ４で点検スイッチ１０が押下されているかを判別する。
【００５０】
ステップ４で、点検スイッチ１０が押下されていないと判別するときは、ステップ５で、リモコン送信器１２から送信される点検信号１５を受信しているかを判別する。
【００５１】
ステップ５で、点検信号１５を受信していないと判別するときは、点検信号１５の受信が中断してからの点検信号中断時間Ｔｏｆｆを計時（ステップ１２）し、点検信号中断時間Ｔｏｆｆが３秒以下であるかを判別（ステップ１３）する。
【００５２】
ステップ１３で、点検信号中断時間Ｔｏｆｆが３秒以下であると判別するときは、ステップ１１に移行してＤＣ−ＤＣコンバータ２３を停止させて非常点灯状態を継続し、点検信号中断時間Ｔｏｆｆが３秒以下でない（３秒を越える）と判断するときは、ステップ６に移行してＤＣ−ＤＣコンバータ２３を動作させ、常用点灯状態にする。
【００５３】
ここで、リモコン送信器１２から出力される赤外線信号（点検信号１５）は、一般的にリーダー部とデータ部とトレーラー部を有している。これらリーダー部とデータ部とトレーラー部を組み合わせることによって、１つの制御信号としてリモコン受信器３４を介して制御回路２７に入力されるが、この点検信号１５を受信するためにかかる時間は、２００ｍ秒程度必要とされている。
【００５４】
そのため、点検信号１５を受信している最中に、リモコン送信器１２の向きが変更になったり、遮蔽物の影響を受けたりして、点検信号１５の一部（または全部）が欠落した場合に、非常点灯から常用点灯に切り替ることが考えられるが、信号停止時間Ｔｏｆｆが３秒以下であるとき、非常点灯の状態を維持するので、点検信号１５の一部（または全部）が欠落することによって生じる非常点灯と常用点灯の切り替え（ユーザーが意図していない切り替え動作）がなく、ユーザーが目視確認する際の煩わしさをなくすことができる。
【００５５】
なお、本実施の形態では、ステップ１３で判別する信号停止時間Ｔｏｆｆを３秒とした場合について説明したが、３秒に限定されず、表示パネル５のパネル面の明るさにより常用点灯と非常点灯とをユーザーが目視確認できる時間（例えば１０秒程度）であってもよく、また、点検信号１５を伝達する時間が早い場合は、信号停止時間Ｔｏｆｆを短い時間（例えば１秒程度）としてもよい。
【００５６】
このように、点検信号１５を受信してから所定時間非常点灯を継続しているので、リモコン送信器１２の方向にブレなどが生じて点検信号１５が間欠的に受信される場合であっても、非常点灯状態を継続することができる。
【００５７】
実施の形態３．
本実施の形態は、実施の形態１に示す誘導灯の他の構成を示すものである。
【００５８】
本実施の形態において、実施の形態１と同様の部分は同符号を付し、説明を省略する。
【００５９】
図６は、本実施の形態を示す誘導灯であり、図６（ａ）は、誘導灯の斜視図、図６（ｂ）は、誘導灯の底面図である。
【００６０】
図７は、図６に示す誘導灯に内蔵される点灯ユニットの回路構成図である。
【００６１】
誘導灯１の底面に、バッテリ自動点検結果表示部４２を備えている。
【００６２】
バッテリ自動点検結果表示部４２は、ＬＥＤからなり、制御回路２７のバッテリ自動点検結果表示出力部４３から出力される点検結果表示信号に基づいて点灯／点滅して、制御回路２７がバッテリ３を点検した結果を表示する。
【００６３】
次に、本実施の形態の制御回路の動作について説明する。
【００６４】
図８は、制御回路の動作を示すフローチャートである。
【００６５】
ステップ５で、点検信号１５を受信していると判断するときは、点検信号１５を受信している受信時間Ｔｏｎを計時（ステップ１４）して、非常点灯している非常点灯時間Ｔｔｅｓｔを計時（ステップ１５）し、次にステップ１０に移行してＤＣ−ＤＣコンバータ２３を停止する停止信号を出力する。
【００６６】
次にステップ２で、点検信号１５を受信していないときは、受信時間Ｔｏｎが１０秒以上であるかを判別（ステップ１６）し、受信時間Ｔｏｎが１０秒以上でないと判別したときは、ステップ３に移行して、ＤＣ−ＤＣコンバータ２３を動作させる動作信号を出力する。
【００６７】
ステップ１６で、受信時間Ｔｏｎが１０秒以上であると判別したときは、非常点灯時間Ｔｔｅｓｔが３０分を越えたかを判別（ステップ１７）し、非常点灯時間Ｔｔｅｓｔが３０分を越えていないときは、ステップ１４に移行して、点検信号１５の受信している時間Ｔｏｎを計時する。
【００６８】
ステップ１７で、非常点灯時間Ｔｔｅｓｔが３０分を越えたと判別したときは、非常点灯を継続したときのバッテリ３の電圧から寿命であるかを検知して、バッテリ自動点検結果表示出力部４３からバッテリ３の点検結果を表示する点検結果表示信号を出力する（ステップ１８）。
【００６９】
バッテリ自動点検結果出力部４３は、この点検結果表示信号によって、非常点灯を継続したときのバッテリ３の電圧が基準電圧以上であるときはバッテリ３が正常であるとしてバッテリ自動点検結果表示部４２を点灯させ、バッテリ３の電圧が基準電圧未満であるときはバッテリ３が寿命であるとしてバッテリ自動点検結果表示部４２を点滅させる。
【００７０】
なお、バッテリ自動点検結果表示部４２の表示パターンは、バッテリ３が正常のときに点灯、バッテリ３が寿命のときに消灯などとしてもよい。
【００７１】
このように、リモコン送信器１２からの点検信号１５に基づいて、常用点灯から非常点灯に切り替えることができるので、脚立などに登ることなく高所に取り付けられる誘導灯１などの点検を行うことができるとともに、リモコン送信器１２の操作ボタン１４を所定時間押下し続けることで、バッテリ３の寿命を判定するための規定時間非常点灯させることができる。
【００７２】
したがって、１つのリモコン送信器１２の操作ボタン１４の操作により、常用点灯から非常点灯に切り替える切替点検と、バッテリ３が寿命であるかを点検するバッテリ点検を行うことができる。
【００７３】
また、図９に示す制御回路２７の他の動作（フローチャート）のように、実施の形態２の図７に示すステップ１２、ステップ１３を加えてもよい。
【００７４】
この場合、ステップ５で、点検信号１５の受信していないと判断したとき、ステップ１２に移行して、点検信号１５の受信が中断してからの信号停止時間Ｔｏｆｆを計時し、その後ステップ１３に移行して信号停止時間Ｔｏｆｆが３秒以下であるかを判別する。
【００７５】
ステップ１２で、信号停止時間Ｔｏｆｆが３秒以下でないと判別したときはステップ１３に移行し、信号停止時間Ｔｏｆｆが３秒を越えたと判別したときはステップ１５に移行する。
【００７６】
このように、リモコン送信器１２からの点検信号１５に基づいて、常用点灯から非常点灯に切り替えることができるので、脚立などに登ることなく高所に取り付けられる誘導灯１などの点検を行うことができる。
【００７７】
リモコン送信器１２の操作ボタン１４を所定時間押下し続けることで、バッテリ３の寿命を判定するための規定時間非常点灯させることができるとともに、点検信号１５を受信してから非常点灯を所定時間継続しているので、リモコン送信器１２の方向にブレなどが生じて点検信号１５が間欠的に受信される場合であっても、非常点灯状態を継続することができる。
【００７８】
したがって、１つのリモコン送信器１２の操作ボタン１４の操作により、常用点灯から非常点灯に切り替える切替点検と、バッテリ３が寿命であるかを点検するバッテリ点検を行うことができる。
【００７９】
また、任意の時間で点検を終了させることができるので、所定時間（２０分或いは３０分）経過後もバッテリ点検動作を継続できる。このため、バッテリ３の実力値をチェックすることが可能になる。
【００８０】
また、点検動作をすぐに中断することも可能であるため、常用点灯から非常点灯に切り替える切替点検が容易にできる。
【００８１】
実施の形態４．
本実施の形態は、実施の形態１に示す制御回路の他の動作を示すものである。
【００８２】
本実施の形態において、実施の形態１〜実施の形態３と同様の部分は同符号を付し、説明を省略する。
【００８３】
図１０は、本実施の形態の制御回路の動作を示すフローチャートである。
【００８４】
ステップ１で、停電ではないと判別すると、非常点灯試験ｃｈｅｃｋのフラグが「１」であるかを判別（ステップ１９）する。
【００８５】
ステップ１９で、非常点灯試験ｃｈｅｃｋのフラグが「１」でないと判別すると、点検スイッチ１０が押下されているかを判断（ステップ２０）する。
【００８６】
ステップ２０で、点検スイッチ１０が押下されていないと判別するときは、点検信号１５を受信しているかを判別（ステップ２１）する。
【００８７】
ステップ２１で、点検信号１５を受信していないと判別すると、ステップ６に移行する。
【００８８】
ステップ２０で点検スイッチ１０が押下されている、または、ステップ２１で点検信号１５を受信していると判断するときは、非常点灯試験ｃｈｅｃｋのフラグを「１」にして（ステップ２２）、ステップ１１に移行する。
【００８９】
ステップ１９で、非常点灯試験ｃｈｅｃｋのフラグが「１」であると判別すると、点検スイッチ１０が押下されているかを判断（ステップ２４）する。
【００９０】
ステップ２４で、点検スイッチ１０が押下されていないと判断すると、点検信号１５を受信しているかを判断（ステップ２５）する。
【００９１】
ステップ２５で、点検信号１５を受信していないと判断すると、ステップ２２に移行する。
【００９２】
ステップ２４で点検スイッチ１０が押下されている、または、ステップ２５で点検信号１５を受信していると判断すると、非常点灯試験ｃｈｅｃｋのフラグを「０」にして（ステップ２６）、ステップ６に移行する。
【００９３】
この実施の形態では、ステップ１で停電であると判断するときは、非常点灯試験ｃｈｅｃｋのフラグを「０」にして（ステップ２７）、ステップ２に移行する。これは、非常点灯を継続する状態（以下、非常点灯試験状態という。）のときに停電が発生した際、強制的に非常点灯試験状態を解除してランプ６を非常点灯し、復電後はバッテリ３を充電するようにしている。
【００９４】
なお、ステップ２７で、停電時に非常点灯試験ｃｈｅｃｋのフラグを強制的に「０」にすることなく、復電後も非常点灯試験状態を継続してもよい。
【００９５】
このように、点検スイッチ１０またはリモコン送信器１２の操作ボタン１４を押下すると、非常点灯試験状態に移行し、ユーザーが常用点灯から非常点灯に切り替わるのを確認した後、再度点検スイッチ１０またはリモコン送信器１２の操作ボタン１４を押下すると、非常点灯試験状態を解除するので、常用点灯から非常点灯に切り替わるのをユーザーが確実に確認することができる。
【００９６】
また、リモコン送信器１２からの点検信号１５に基づいて、常用点灯から非常点灯に切り替えることができるので、脚立などの登ることなく高所に取り付けられる誘導灯１などの点検を行うことができる。
【００９７】
実施の形態５．
本実施の形態は、実施の形態４に示す制御回路の他の動作を示すものである。
【００９８】
本実施の形態において、実施の形態４と同様の部分は同符号を付し、説明を省略する。
【００９９】
図１１は、本実施の形態を示す誘導灯の斜視図であり、図１１（ａ）は、誘導灯の斜視図、図１１（ｂ）は、誘導灯の底面図である。
【０１００】
図１２は、図１１に示す誘導灯に内蔵される点灯ユニットの回路構成図である。
【０１０１】
誘導灯本体４の底面に表示部分が見えるように、７セグＬＥＤからなるバッテリ点灯時間表示部４４を備えている。
【０１０２】
制御回路２７は、バッテリ３の電力によりランプ６を点灯したときにバッテリ３の電圧が基準電圧以下になるまでの時間を計時して、バッテリ点灯時間表示出力部４５を介して、バッテリ点灯時間表示部４４に表示する。
【０１０３】
次に、本実施の形態の動作について説明する。
【０１０４】
図１３は、本実施の形態の制御回路の動作を示すフローチャートである。
【０１０５】
ステップ１９で、非常点灯試験ｃｈｅｃｋのフラグが「１」であると判断すると、非常点灯時間Ｔｔｅｓｔを計時（ステップ２８）し、バッテリ電圧が基準電圧Ｖ１（バッテリ３の性能が維持できる電圧）以上であるかを判別（ステップ２９）する。
【０１０６】
ステップ２９で、バッテリ電圧が基準電圧Ｖ１以上でないと判断すると、非常点灯時間Ｔｔｅｓｔをバッテリ点灯時間表示出力部４５から出力して、バッテリ点灯時間表示部４４に表示して、ステップ２６に移行する。
【０１０７】
ステップ２９で、バッテリ電圧が基準電圧Ｖ１以上であると判別すると、点検スイッチ１０が押下されたかを判別（ステップ３１）する。
【０１０８】
ステップ３１で、点検スイッチ１０が押下されていないと判別すると、点検信号１５を受信しているかを判別（ステップ３２）する。
【０１０９】
ステップ３２で、点検信号１５を受信していないと判別すると、ステップ２２に移行して、非常点灯状態を継続する。
【０１１０】
ステップ３１で点検スイッチ１０が押下された、または、ステップ３２で点検信号１５が入力されたと判別すると、ステップ３０に移行して、非常点灯時間Ｔｔｅｓｔを表示する。
【０１１１】
このように非常点灯時間をバッテリ点灯時間表示部４４に表示するようにしたので、消防庁告示、建築基準法などによって規定される時間、非常点灯できるかを確認できるほか、そのバッテリ３が持っている性能によって非常点灯させることができる時間（実力値）を把握できる。
【０１１２】
したがって、点灯ユニット２、バッテリ３、ランプ６などの製品ばらつきによって、バッテリ３が寿命となる時期が異なるが、バッテリ点灯時間表示部４４に表示される時間からバッテリ３の寿命が近づいているのかを、ユーザーが把握することができる。
【０１１３】
また、バッテリ３の電力によってランプ６を点灯しつづけることができる実力値を把握できるので、バッテリ点灯時間表示部４４に表示される時間が、消防庁告示、建築基準法などによって規定される時間に近づいているとき、ユーザーがバッテリ３を早めに交換する、あるいはユーザーに交換を促すことができる。
【０１１４】
したがって、ユーザーがバッテリ３の寿命を早めに把握してバッテリ３を交換することができるので、火災などの災害時に誘導灯１の本来の性能を発揮させることができる。
【０１１５】
実施の形態６．
本実施の形態は、実施の形態１〜実施の形態５に示す誘導灯の点灯ユニットを非常灯に用いたときを示すものである。
【０１１６】
本実施の形態において、実施の形態１〜実施の形態５と同様の部分は同符号を付し、説明を省略する。
【０１１７】
図１４は、本実施の形態を示す非常灯の斜視図である。
【０１１８】
非常灯５１は、非常灯本体５２と、非常灯本体５２の長手方向両端部に備えられ、蛍光灯５３が着脱可能に取り付けられるランプソケット５４と、非常灯本体５２の内部に収納される点灯ユニット２を備えている。
【０１１９】
また、非常灯本体５２には、リモコン信号受信部９と、点検スイッチ１０と、バッテリモニタ１１が取り付けられている。
【０１２０】
図１５は、本実施の形態を示す点灯ユニットの回路構成図である。
【０１２１】
ＤＣ−ＤＣコンバータ２３の出力側に常用／非常点灯切り替え回路２４を介して点灯回路４６が接続されている。さらに、点灯回路４６の出力側に蛍光灯５３が接続される。
【０１２２】
制御回路２７の動作は、実施の形態１〜実施の形態５に記載したものと同様のため、詳細な説明を省略するが、本実施の形態では、ＤＣ−ＤＣコンバータ２９がないため、ＤＣ−ＤＣコンバータ２９の出力をＯＮ／ＯＦＦするステップは省略してもよい。
【０１２３】
なお、本実施の形態では蛍光灯５３を用いる場合について説明したため、交流電力を出力する点灯回路を用いたが、ＬＥＤなどの直流電力によって点灯できる光源を用いる場合においては、実施の形態１〜実施の形態５と同様にＤＣ−ＤＣコンバータ２９を用いてもよいことは明らかである。
【０１２４】
また、図１６に示すように、ＤＣ−ＤＣコンバータ２３の出力端子を常用／非常点灯切り替え回路２４に接続せず、ＤＣ−ＤＣコンバータ２３の出力からの電力を点灯ユニット２に供給しないようにして、商用電源２１が供給されているときは蛍光灯５３を消灯させ、商用電源２１が遮断される停電時、及びバッテリ３の点検動作時のみ蛍光灯５３を点灯させる非常灯としてもよい。
【０１２５】
この場合、蛍光灯５３を常用点灯する必要がないので、制御回路２７の動作を示すフローチャート中のステップ９を省略してもよい。
【０１２６】
以上をまとめると、次のようになる。
照明機器は、
バッテリと、
商用電源からの電力により前記バッテリを充電する充電回路と、
前記商用電源からの電力または前記バッテリからの電力を切り替えてランプを点灯させる切り替え回路と、
外部から送信される点検信号を受信する受信回路と、
前記点検信号を受信している期間、前記切り替え回路を動作させて、前記バッテリからの電力により前記ランプを点灯させる点検動作を有する制御回路と、
を備えることを特徴とする。
【０１２７】
照明機器は、
点検信号を受信すると制御回路の点検動作が開始され、前記点検信号の受信が途絶えてから前記所定時間経過するまで前記点検動作を継続し、前記所定時間経過後に前記点検動作を停止させることを特徴とする。
【０１２８】
照明機器は、
点検信号を受信すると制御回路の点検動作が開始され、前記点検信号を設定時間以上受信し続けているときは、定格点検時間に達するまで前記点検動作を継続することを特徴とする。
【０１２９】
照明機器は、
定格点検時間に達するまで点検動作が継続しているとき、かつ、外部から点検信号を受信するときは、前記点検動作を中止することを特徴とする。
【０１３０】
照明機器は、
バッテリと、
入力される商用電源を整流平滑する整流平滑回路と、
前記整流平滑された直流電圧を昇圧または降圧する第１のＤＣ−ＤＣコンバータ回路と、
前記第１のＤＣ−ＤＣコンバータ回路の出力側に接続され、前記バッテリを充電する充電回路と、
前記バッテリに接続され、前記バッテリの出力電圧を昇圧する第２のＤＣ−ＤＣコンバータ回路と、
前記第１のＤＣ−ＤＣコンバータ回路と前記第２のＤＣ−ＤＣコンバータ回路に切り替えて接続し、前記第１または第２のＤＣ−ＤＣコンバータ回路が出力する出力電圧によって、点灯されるランプの点灯状態を常用点灯状態または非常点灯状態にする切り替え回路と、
外部からの点検信号を受信するリモコン受信回路と、
前記リモコン受信回路が前記点検信号の受信している期間、前記バッテリの充電を停止するとともに、前記切り替え回路を制御して、試験的に前記バッテリからの電力で前記ランプを点灯し、前記ランプの点灯状態を非常点灯状態にする制御回路と、
を備えることを特徴とする。
【０１３１】
照明機器システムは、
照明機器と、
操作ボタンと、前記操作ボタンを押下している期間、前記点検回路に点検動作を行わせる点検信号を出力する送信回路と、を有する送信器と、
を備えることを特徴とする。
【図面の簡単な説明】
【０１３２】
【図１】実施の形態１における誘導灯を示す斜視図及び底面図である。
【図２】実施の形態１におけるリモコン送信器を示す斜視図である。
【図３】実施の形態１における誘導灯に内蔵される点灯ユニットの回路構成を示す図である。
【図４】実施の形態１における制御回路の動作を示すフローチャートである。
【図５】実施の形態２における制御回路の動作を示すフローチャートである。
【図６】実施の形態３における誘導灯を示す斜視図及び底面図である。
【図７】実施の形態３における誘導灯に内蔵される点灯ユニットの回路構成を示す図である。
【図８】実施の形態３における制御回路の動作を示すフローチャートである。
【図９】実施の形態３における制御回路の他の動作を示すフローチャートである。
【図１０】実施の形態４における制御回路の動作を示すフローチャートである。
【図１１】実施の形態５における誘導灯を示す斜視図及び底面図である。
【図１２】実施の形態５における誘導灯に内蔵される点灯ユニットの回路構成を示す図である。
【図１３】実施の形態５における制御回路の動作を示すフローチャートである。
【図１４】実施の形態６における非常灯を示す斜視図である。
【図１５】実施の形態６における非常灯に内蔵される点灯ユニットの回路構成を示す図である。
【図１６】実施の形態６における非常灯に内蔵される点灯ユニットの他の回路構成を示す図である。
【符号の説明】
【０１３３】
１  誘導灯、２  点灯ユニット、３  バッテリ、４  誘導灯本体、５  表示パネル、６  ランプ、７  取付孔、８  電源線挿入孔、９  リモコン信号受信部、１０  点検スイッチ、１１  バッテリモニタ、１２  リモコン送信器、１３  リモコン本体、１４  操作ボタン、１５  点検信号、１６  赤外線発光素子、２１  商用電源、２２  整流平滑回路、２３  第１のＤＣ−ＤＣコンバータ、２４  常用／非常点灯切り替え回路、２５  充電回路、２６  ＯＲ回路、２７  制御回路、２８  電源入力部、２９  第２のＤＣ−ＤＣコンバータ、３０  充電電流検出部、３１  バッテリ電圧検出部、３２  停電検出回路、３３  停電検出部、３４  リモコン受信器、３５  リモコン受信回路、３６  リモコン信号受信部、３７  点検スイッチ信号入力部、３８  バッテリモニタ信号出力部、３９  第１のコンバータ制御信号出力部、４０  第２のコンバータ制御信号出力部、４１  常用／非常点灯切り替え信号出力部、４２  バッテリ自動点検結果表示部、４３  バッテリ自動点検結果表示出力部、４４  バッテリ点灯時間表示部、４５  バッテリ点灯時間表示出力部、４６  点灯回路、５１  非常灯、５２  非常灯本体、５３  蛍光灯、５４  ランプソケット。
【図１】
0005376012.tif 000002
【図２】
0005376012.tif 000003
【図３】
0005376012.tif 000004
【図４】
0005376012.tif 000005
【図５】
0005376012.tif 000006
【図６】
0005376012.tif 000007
【図７】
0005376012.tif 000008
【図８】
0005376012.tif 000009
【図９】
0005376012.tif 000010
【図１０】
0005376012.tif 000011
【図１１】
0005376012.tif 000012
【図１２】
0005376012.tif 000013
【図１３】
0005376012.tif 000014
【図１４】
0005376012.tif 000015
【図１５】
0005376012.tif 000016
【図１６】
0005376012.tif 000017